(57)【特許請求の範囲】
【請求項１】
液晶パネルと、前記液晶パネルと接続するＦＰＣと、前記液晶パネルが収容される液晶枠と、前記液晶パネルを前記液晶枠との間で挟持する枠板とから構成され、
前記液晶枠に前記ＦＰＣが挿入される開口部が設けられ、
前記ＦＰＣに不慮の力が作用したときに、前記ＦＰＣの前記液晶表示パネルとの接続部分の移動及び負傷を防止するために、前記枠板に突出した湾曲部位が設けられ、前記湾曲部位は傾斜板と前記傾斜板の先端に連続して形成されるＵ字溝とから構成され、
前記開口部と前記Ｕ字溝とは対向する位置関係にあり、前記ＦＰＣは、前記開口部と前記Ｕ字溝との間に挿入され、かつ、前記開口部と前記Ｕ字溝とにより挟持されることを特徴とする液晶表示装置。
【請求項２】
前記傾斜板に空気抜き穴が設けられていることを特徴とする請求項１記載の液晶表示装置。
【請求項３】
前記開口部の両側に前記ＦＰＣの両側がそれぞれ挿入される凹部が設けられることを特徴とする請求項１記載の液晶表示装置。
【発明の詳細な説明】
【０００１】
【発明の属する技術分野】
本発明は、ＦＰＣ（フレキシブル・プリント・ケーブル）の負傷防止構造を有する液晶表示装置に関する。
【０００２】
【従来の技術】
従来のＦＰＣ及び枠板を使用する液晶表示装置について図４を参照して説明する。
【０００３】
液晶表示装置は、液晶枠１と、液晶枠１に収容される液晶パネル４と、液晶パネル４に接続されるＦＰＣ５と、液晶枠１の上方からはめられる入射枠板２と、液晶枠１の下方からはめられる出射枠板３とから構成される。
【０００４】
液晶枠１は、合成樹脂製で、長方形状の枠であり、前面側にＦＰＣ５を挿入するための開口部１Ａが設けられ、また、左右両外側にそれぞれ４つの溝１Ｂ，１Ｃ，１Ｄ，１Ｅが設けられ、各溝１Ｂ〜１Ｅに突起１Ｆ，１Ｇ，１Ｈ，１Ｉが設けられる。
【０００５】
入射枠板２は、金属板製で、長方形状の枠２Ａと、枠２Ａの４角に形成された折曲部２Ｂと、各折曲部２Ｂに設けられた切欠部２Ｃとから構成される。
【０００６】
出射枠板３は、金属板製で、長方形状の枠３Ａと、枠３Ａの左右両外側に形成された折曲部３Ｂと、各折曲部３Ｂに設けられた切欠部３Ｃとから構成される。
【０００７】
液晶表示装置の組立方法を説明する。まず、液晶パネル４を液晶枠１に収容して接着剤により固定する。次に、入射枠板２の４つの折曲部２Ｂを液晶枠１の左右両外側の４つの溝１Ｂ，１Ｅにそれぞれ挿入し、また、４つの切欠部２Ｃを４つの突起１Ｆ，１Ｉにそれぞれ係合する。続いて、出射枠板３の４つの折曲部３Ｂを液晶枠１の左右両外側の４つの溝１Ｃ，１Ｄにそれぞれ挿入し、また、４つの切欠部３Ｃを４つの突起１Ｇ，１Ｈにそれぞれ係合する。そして、液晶表示装置は、図４（ｂ）に示される組立完了状態に至る。
【０００８】
なお、特開平８−１９００８５号公報には、液晶表示装置において、前面支持部材の角部を斜め切欠部に構成することにより、ＦＰＣの負傷を防止することが、記載されている。
【０００９】
また、特開２０００−２４２１８９号公報には、画像表示装置において、ＦＰＣを保護するために、ＦＰＣを緩衝材（ゴム及び諸樹脂等）を介して金属枠に固定することが、記載されている。
【００１０】
【発明が解決しようとする課題】
前記従来のＦＰＣ及び枠板を使用する液晶表示装置には、次の欠点が生じる。すなわち、ＦＰＣ５が煽られること（不慮の力がＦＰＣ５を上方へ引張るように作用すること）により、▲１▼液晶パネル４と液晶枠１との接着剤による固定部分の剥離、▲２▼ＦＰＣ５と液晶パネル４との接続部分の剥離、▲３▼ＦＰＣ５と液晶パネル４との電気的接触不良、及び、▲４▼ＦＰＣ５自体の破損が、発生する。
【００１１】
現在、▲２▼及び▲３▼の発生を防止するため、接着剤により液晶パネル４とＦＰＣ５との接続を補強している。したがって、余分な作業工程数が必要とされている。また、▲１▼の発生を防止するために、液晶枠１にＦＰＣ５を接着剤により固定すると、更に余分な作業工程数が必要とされる。
【００１２】
そこで、本発明は、前記従来のＦＰＣ及び枠板を使用する液晶表示装置を改良し、前記▲１▼〜▲４▼の欠点が発生しない液晶表示装置を提供しようとするものである。
【００１３】
【課題を解決するための手段】
本発明は、前記課題を解決するため、次の手段を採用する。
【００１４】
１．液晶パネルと、前記液晶パネルと接続するＦＰＣと、前記液晶パネルが収容される液晶枠と、前記液晶パネルを前記液晶枠との間で挟持する枠板とから構成され、前記液晶枠に前記ＦＰＣが挿入される開口部が設けられ、前記ＦＰＣに不慮の力が作用したときに、前記ＦＰＣの前記液晶表示パネルとの接続部分の移動及び負傷を防止するために、前記枠板に突出した湾曲部位が設けられ、前記湾曲部位は傾斜板と前記傾斜板の先端に連続して形成されるＵ字溝とから構成され、前記開口部と前記Ｕ字溝とは対向する位置関係にあり、前記ＦＰＣは、前記開口部と前記Ｕ字溝との間に挿入され、かつ、前記開口部と前記Ｕ字溝とにより挟持される液晶表示装置。
【００１５】
２．前記傾斜板に空気抜き穴が設けられている前記１記載の液晶表示装置。
【００１６】
３．前記開口部の両側に前記ＦＰＣの両側がそれぞれ挿入される凹部が設けられる前記１記載の液晶表示装置。
【００１８】
【発明の実施の形態】
本発明の２つの実施の形態例の液晶表示装置について説明する。
【００１９】
まず、第１実施の形態例について図１と図２を参照して説明する。
【００２０】
液晶表示装置は、液晶枠１と、液晶枠１に収容される液晶パネル４と、液晶パネル４に接続されるＦＰＣ５と、液晶枠１の上方からはめられる入射枠板２と、液晶枠１の下方からはめられる出射枠板３とから構成される。
【００２１】
液晶枠１は、合成樹脂製で、長方形状の枠であり、前面側にＦＰＣ５を挿入するための開口部１Ａが設けられ、また、左右両外側にそれぞれ４つの溝１Ｂ，１Ｃ，１Ｄ，１Ｅが設けられ、各溝１Ｂ〜１Ｅに突起１Ｆ，１Ｇ，１Ｈ，１Ｉが設けられる。
【００２２】
入射枠板２は、金属板製で、長方形状の枠２Ａと、枠２Ａの４角に形成された折曲部２Ｂと、各折曲部２Ｂに設けられた切欠部２Ｃと、枠２Ａの前面側に形成された煽り防止部２Ｄとから構成される。煽り防止部２Ｄは、傾斜板２Ｅと、傾斜板２Ｅの先端に連続して形成されるＵ字溝２Ｆと、傾斜板２Ｅに設けられた２つの空気抜き穴２Ｇとから構成される。
【００２３】
出射枠板３は、金属板製で、長方形状の枠３Ａと、枠３Ａの左右両外側に形成された折曲部３Ｂと、各折曲部３Ｂに設けられた切欠部３Ｃとから構成される。
【００２４】
液晶表示装置の組立方法を説明する。まず、液晶パネル４を液晶枠１に収容して接着剤により固定する。次に、入射枠板２の４つの折曲部２Ｂを液晶枠１の左右両外側の４つの溝１Ｂ，１Ｅにそれぞれ挿入し、また、４つの切欠部２Ｃを４つの突起１Ｆ，１Ｉにそれぞれ係合する。続いて、出射枠板３の４つの折曲部３Ｂを液晶枠１の左右両外側の４つの溝１Ｃ，１Ｄにそれぞれ挿入し、また、４つの切欠部３Ｃを４つの突起１Ｇ，１Ｈにそれぞれ係合する。そして、液晶表示装置は、図１（ｂ）に示される組立完了状態に至る。
【００２５】
入射枠板２を、液晶パネル４を液晶枠１に接着剤を用いずに保持するための見切板として用いても良い。また、入射枠板２と出射枠板３を遮光板として用いても良い。
【００２６】
図１（ｂ）の状態において、ＦＰＣ５が煽られても、ＦＰＣ５の液晶パネル４との接続部分５Ａの上面は、煽り防止部２ＤのＵ字溝２Ｆの滑らかな底外面に接触するため、傷つけられない。
【００２７】
また、煽り防止部２Ｄの傾斜板２Ｅに２つの空気抜き穴２Ｇが設けられているため、光の照射に起因する発熱が液晶枠１内にこもらない。
【００２８】
次に、第２実施の形態例について図３を参照して説明する。ただし、第２実施の形態例については、第１実施の形態例と同様な点の説明を省略し、相違する点の説明のみを行う。
【００２９】
液晶枠１の前面側に設けられた開口部１Ａの左右両側に、それぞれ凹部１Ｊを形成する。そして、液晶パネル４を液晶枠１に収容するとき、ＦＰＣ５の左右両側を両凹部１Ｊに挿入する。このような構成により、ＦＰＣ５は、煽られることによる破損を防止される。
【００３０】
【発明の効果】
以上の説明から明らかなように、本発明は、次の効果を奏する。
【００３１】
１．ＦＰＣが煽られても、液晶パネルと液晶枠との接着剤による固定部分の剥離、ＦＰＣと液晶パネルとの接続部分の剥離、ＦＰＣと液晶パネルとの電気的接触不良、及び、ＦＰＣ自体の破損の諸欠点が、発生しない。
【００３２】
２．ＦＰＣに不慮の力が作用したときに、ＦＰＣの液晶パネルとの接続部分の移動及び負傷を防止するために、突出した湾曲部位（煽り防止部）は、枠板と一体に構成されるため、作業工程数を削減することができる。
【００３３】
３．煽り防止部に空気抜き穴が設けられるので、光の照射による発熱が液晶枠内にこもらない。
【００３４】
４．ＦＰＣが煽られても、ＦＰＣは、煽り防止部のＵ字溝の滑らかな底外面に接触するため、傷つけられない。
【図面の簡単な説明】
【図１】本発明の第１実施の形態例の液晶表示装置の斜視図であり、（ａ）は分解図、（ｂ）は組立完了図を、それぞれ示す。
【図２】同液晶表示装置における入射枠板の諸図であり、（ａ）は平面図、（ｂ）は側面図、（ｃ）は前面図を、それぞれ示す。
【図３】本発明の第２実施の形態例の液晶表示装置の斜視図であり、（ａ）は分解図、（ｂ）は組立完了図を、それぞれ示す。
【図４】従来の液晶表示装置の斜視図であり、（ａ）は分解図、（ｂ）は組立完了図を、それぞれ示す。
【符号の説明】
１    液晶枠
１Ａ    開口部
１Ｂ，１Ｃ，１Ｄ，１Ｅ    溝
１Ｆ，１Ｇ，１Ｈ，１Ｉ    突起
１Ｊ    凹部
２    入射枠板
２Ａ    枠
２Ｂ    折曲部
２Ｃ    切欠部
２Ｄ    煽り防止部
２Ｅ    傾斜板
２Ｆ    Ｕ字溝
２Ｇ    空気抜き穴
３    出射枠板
３Ａ    枠
３Ｂ    折曲部
３Ｃ    切欠部
４    液晶パネル
５    ＦＰＣ
５Ａ    接続部分
【図１】
0003577698.tif 000002
【図２】
0003577698.tif 000003
【図３】
0003577698.tif 000004
【図４】
0003577698.tif 000005